(57)【要約】【課題】  従来の折り目線やミシン目等では、折り目線からうまく折り畳めなかったり、ミシン面の途中でフラップが裂けてしまったり、使用前にミシン目から容器破損が生じたり、容器解体時にミシン目でできたフラップの鋭利な先端部分で、手指を傷つけるという諸問題を解決することを目的とする。【解決手段】  ティシュペーパー用の長方体又は立方体の紙容器において、ティシュペーパー層を挿入するための開口部形成用側面ではない互いに平行する２つ側面をその各々の側面の４隅から側面の巾方向中心に向って対向的に配設された横Ｖ型または横Ｙ型の谷折り用折り目線を含みかつ当該側面を容器内方に折り込むための谷折り用折り目線を施して折り込み用側面に形成すると共に天面または底面の巾方向両端部近傍にこの巾方向と直交しかつ上記の開口部形成用側面を天面または底面上に折り畳むための谷折り用折り目線を施した廃棄し易いティシュペーパー用容器。【選択図】  図２
2006240688.tif 000002
【特許請求の範囲】
【請求項１】
ティシュペーパー用の長方体又は立方体の紙容器において、ティシュペーパー層を挿入するための開口部形成用側面ではない互いに平行する２つ側面をその各々の側面の４隅から側面の巾方向中心に向って対向的に配設された横Ｖ型または横Ｙ型の谷折り用折り目線を含みかつ当該側面を容器内方に折り込むための谷折り用折り目線を施して折り込み用側面に形成すると共に天面または底面の巾方向両端部近傍にこの巾方向と直交しかつ上記の開口部形成用側面を天面または底面上に折り畳むための谷折り用折り目線を施したことを特徴とする廃棄し易いティシュペーパー用容器。
【請求項２】
横Ｖ型または横Ｙ型の折り目線のＶ型尖端またはＹ型足部先端が当該側面の上下中心を巾方向に走る折り目線で接続されている請求項１記載のティシュペーパー用容器。
【請求項３】
横Ｖ型または横Ｙ型の折り目線のＶ型またはＹ型の開き角度が略９０°である請求項１または３記載のティシュペーパー用容器。
【請求項４】
天面または底面の巾方向両端部近傍に巾方向と直交して施される折り目線位置は当該両端部より開口部形成用側面の高さの略１／２長だけ夫々内側に設定されている請求項１から３までのいずれか１項記載のティシュペーパー用容器。
【請求項５】
ティシュペーパー使用後の空容器を、谷折り用折り目線を施した互いに平行する２つの側面を夫々上記の折り目線に沿って容器内方に折り込むと共に互いに平行する２つの開口部形成用側面を天面または底面上に施した谷折り用折り目線に沿ってそのまま夫々内方に向って天面または底面上に折り畳むことができる請求項１から４までのいずれか１項記載のティシュペーパー用容器。
【請求項６】
接着してある開口部形成用側面の解体作業がなく当該開口部側面の全形を天面または底面上に折り畳むことができる請求項１から５のいずれか１項記載のティシュペーパー用容器。
【発明の詳細な説明】
【技術分野】
【０００１】
本発明は廃棄し易いティシュペーパー用容器に関する。
【背景技術】
【０００２】
フェイシャルティシュ、トイレットペーパー、ペーパータオル等のティシュペーパーに用いられる長方体又は立方体の紙容器は、使用後そのままでは嵩張るため、適宜押し潰した形で廃棄されることが望ましい。
しかし、紙容器は内容物保護の面から、強度のある容器原紙が使用され、且つ側面のフラップも比較的強固に接着されている為、剛性が強く簡単に押し潰すことができなかった。
この為、容器側面部に折り目線を施したり、側面の接着されるフラップにミシン目を施して、押し潰しを容易にしたものがある。
【０００３】
【特許文献１】特開平５−３２２７９号  公報
【特許文献２】特開平８−２５３２７５号  公報
【特許文献３】特開平１０−３１６１８２号  公報
【発明の開示】
【発明が解決しようとする課題】
【０００４】
しかし、従来の折り目線やミシン目等では、折り目線からうまく折り畳めなかったり、ミシン目の途中でフラップが裂けてしまったり、使用前にミシン目から容器破損が生じたりという問題点があった。
又、容器解体時にミシン目でできたフラップの鋭利な先端部分で、手指を傷つける恐れもあった。
本発明はこのような問題点を解消することを目的としてなされたものである。
【課題を解決するための手段】
【０００５】
本発明はティシュペーパー用の長方体又は立方体の紙容器において、ティシュペーパー層を挿入するための開口部形成用側面ではない互いに平行する２つ側面をその各々の側面の４隅から側面の巾方向中心に向って対向的に配設された横Ｖ型または横Ｙ型の谷折り用折り目線を含みかつ当該側面を容器内方に折り込むための谷折り用折り目線を施して折り込み用側面に形成すると共に天面または底面の巾方向両端部近傍にこの巾方向と直交しかつ上記の開口部形成用側面を天面または底面上に折り畳むための谷折り用折り目線を施したことを特徴とする廃棄し易いティシュペーパー用容器に係わる。
【０００６】
また本発明は上記において横Ｖ型または横Ｙ型の折り目線のＶ型尖端またはＹ型足部先端が当該側面の上下中心を巾方向に走る折り目線で接続されているものおよび横Ｖ型または横Ｙ型の折り目線のＶ型またはＹ型の開き角度が略９０°であるもの更にはまた天面または底面の巾方向両端部近傍に巾方向と直交して施される折り目線位置は当該両端部より開口部形成用側面の高さの略１／２長だけ夫々内側に設定されているものに夫々係わる。
【０００７】
また本発明はティシュペーパー使用後の空容器を、谷折り用折り目線を施した互いに平行する２つの側面を夫々上記の折り目線に沿って容器内方に折り込むと共に互いに平行する２つの開口部形成用側面を天面または底面上に施した谷折り用折り目線に沿ってそのまま夫々内方に向って天面または底面上に折り畳むことができるティシュペーパーおよびその廃棄方法に係わる。
【０００８】
また本発明は上記において接着してある開口部形成用側面の解体作業がなく当該開口部側面の全形を天面または底面上に折り畳むことができるティシュペーパー容器およびその廃棄方法に係わる。
【０００９】
本発明のティシュペーパー容器およびその廃棄方法は
（１）．容器の天面から連接する４つある側面のうち、ティシュペーパー層を挿入する開口部ではない、互いに平行する２つの側面に、各々の側面の４隅から側面の巾方向中心に向かって、４本の折り目線（谷折り）施し、同じ側の２本の折り目線交点間にも、折り目線（谷折り）を施す。
（２）．（１）で折り目線を施した側面と垂直方向に、容器天面または底面の両端部近傍に折り目線（谷折り）を天面または底面のほぼ巾長さと同じに施す。
（３）．（１）と（２）の両方の折り目線を備えているティシュペーパー用容器およびその廃棄方法を提供する。
【発明の効果】
【００１０】
本発明の効果を要約して列記すると次の通りである。
（１）．ミシン目を施さないので、容器の解体作業がいらず、手指を傷つける恐れもなくなる。
（２）．接着してある側面の解体作業がないので、容器廃棄時の折り畳み操作が簡単にできる。
（３）．ミシン目を施さないので、容器の強度への影響も少ない。
【発明を実施するための最良の形態】
【００１１】
以下に本発明を図面に示す長方体のティシュペーパー容器の実施例によって説明するが、本発明はこれによって何ら制約されるものではない。
【実施例１】
【００１２】
図１および図２は従来のティシュペーパー容器および本発明のティシュペーパー容器を示し、ティシュペーパー使用後の空容器の各斜視図である。
（１）は容器の天面、（２）はティシュペーパー層を挿入するための左右の相対向する開口部形成用側面、（３）は他の前後の相対向する折り込み用側面、（４）はティシュペーパー取出し用開口を示す。本発明容器に係わる図２およびその展開図を示す図３では側面（３）（３）には、該側面の４隅から側面の巾方向中心に向って対向的に配設された上下対称の横Ｖ型または横Ｙ型の谷折り用折り目線（５）（５）とこれら折り目線（５）（５）のＶ型尖端またはＹ型足部先端を接続する上下中心線を走る直線状の谷折り用折り目線（６）とが施されている。また天面（１）の巾方向左右両端部近傍にこの巾方向と直交する谷折り用折り目線（７）（７）が施されている。
上記の谷折り用折り目線（５）（６）（７）は点線の谷折りクリースとして図示されている。
図３において（８）は山折り用折り目線（山折りクリース）（９）を介して連続したティシュペーパー層挿入用の開口部（２）を形成するための側面片であり、また（１０）は箱組立時に上記の側面片（８）（８）の下に折り込まれて貼合される側面フラップである。
【００１３】
図４は本発明容器（ティシュペーパー使用後の空容器）の折り畳み操作図で、図４のＡに示されるように谷折りクリース（５）（６）（５）を容器内方に折り込むようにした後、図４のＢに示されるように前後の折り込み用側面（３）を夫々谷折りクリース（５）（６）（５）に沿って容器内方に折り込むと共に左右の開口部形成用側面（２）を谷折りクリース（７）に沿って天面（１）上に倒れ込むように折り畳む。その結果図４のＣに示すように天面（１）と底面とがそれらの間に前後から折り込まれた折り込み用側面（３）を介装して扁平化されかつ天面（１）の上には左右から全形を保ったまま折り畳まれた開口部形成用側面（２）が扁平状に折り畳み重合され、コンパクトな折り畳み構造となる。図４の折り畳み操作をより円滑化するために図３において横Ｖ型ないし横Ｙ型の谷折り用折り目線（５）においてＶ型ないしＹ型の開き角度（２）はこれを略９０°の直角に設定すると共に天面（１）上の谷折り用折り目線（７）とそれに対向する山折りクリース（９）の間隔距離（ｄ）を開口部側面（２）の高さ（ｈ）の略半分と設定するのが好ましい。
また開口部形成用側面（２）の高さが大きい場合、特に天面および底面が正方形の容器の場合、左右双方の開口部形成用側面（２）の天面（１）上での内方への折り畳みが相互に干渉しないように天面（１）の左右の巾長さ（Ｌ）は開口部側面（２）の高さの約１倍半以上好ましくは２倍以上であることが望ましい。
【図面の簡単な説明】
【００１４】
【図１】従来のティシュペーパー容器の斜視図である。
【図２】本発明のティシュペーパー容器の斜視図である。
【図３】本発明のティシュペーパー容器の展開図である。
【図４】Ａ、Ｂ、Ｃは本発明ティシュペーパー容器の折り畳み操作を示す順序図である。
【符号の説明】
【００１５】
１…容器の天面
２…開口部形成用側面
３…折り込み用側面
４…ティシュペーパー取出し用開口
５…谷折り用折り目線
６…谷折り用折り目線
７…谷折り用折り目線
８…開口部形成用側面
９…山折り用折り目線
１０…側面フラップ
ｄ…谷折り用折り目線（７）とこれに対向する山折りクリース（９）との間隔距離
ｈ…開口部形成用側面（２）の高さ
Ｌ…天面の左右の巾長さ
【図１】
2006240688.tif 000003
【図２】
2006240688.tif 000004
【図３】
2006240688.tif 000005
【図４】
2006240688.tif 000006